(57)【要約】【課題】支持対象物の高さ調整のときに支持対象物の設置位置などに前後左右のズレを生じさせないようにする。【解決手段】ベース体１には、上下方向に延びる軸部１１と、第一ねじ部１２とが設けられている。接地体３は、ベース体１の軸部１１を筒内部に入れ込ませるようにしてこの軸部１１に沿って上下方向にのみ移動可能に組み合わされた筒状をなし、かつ、外周部に第二ねじ部３１を備えている。回転操作体２は、軸部１１を略回転中心とする回転操作可能に構成されていると共に、第一ねじ部１２に噛み合う第一噛み合い部２３ｃと、第二ねじ部３１に噛み合う第二噛み合い部２３ｆとを有している。回転操作体２の正転操作によりベース体１は上方に、かつ、接地体３は下方に移動されると共に、回転操作体２の逆転操作によりベース体１は下方に、かつ、接地体３は上方に移動されるようになっている。【選択図】図２
2006242322.tif 000002
【特許請求の範囲】
【請求項１】
ベース体と、回転操作体と、接地体とを備えており、
ベース体には、支持対象物への取り付け部と、上下方向に延びる軸部と、第一ねじ部とが設けられており、
接地体は、筒下端を接地部とすると共に、ベース体の軸部を筒内部に入れ込ませるようにしてこの軸部に沿って上下方向にのみ移動可能に組み合わされた筒状をなし、かつ、外周部に第二ねじ部を備えており、
回転操作体は、前記軸部を略回転中心とする回転操作可能に構成されていると共に、第一ねじ部に噛み合う第一噛み合い部と、第二ねじ部に噛み合う第二噛み合い部とを有しており、
回転操作体の正転操作によりベース体は上方に、かつ、接地体は下方に移動されると共に、
回転操作体の逆転操作によりベース体は下方に、かつ、接地体は上方に移動されるようになっていることを特徴とする脚装置。
【請求項２】
第一ねじ部に対し第二ねじ部が逆向きのねじとなるようにしてあることを特徴とする請求項１記載の脚装置。
【請求項３】
ベース体が、筒内側に第一ねじ部を備えた筒状をなす主体部を備えていることを特徴とする請求項１又は請求項２記載の脚装置。
【請求項４】
回転操作体が、外周部に操作用把持部が形成された外筒部分と、内筒部分とを備えており、
内筒部分の内側に接地体が通り、かつ、この内側に第二噛み合い部が形成されていると共に、
内筒部分と外筒部分との間にベース体が入り込み、かつ、この内筒部分の外側に第一噛み合い部が形成されていることを特徴とする請求項１〜請求項３のいずれか１項に記載の脚装置。
【請求項５】
接地体の接地部が、ゴム又は軟質のプラスチック材料によって構成されていることを特徴とする請求項１〜請求項４のいずれか１項に記載の脚装置。
【発明の詳細な説明】
【技術分野】
【０００１】
この発明は、各種の支持対象物に取り付けられてこの支持対象物の脚となると共に、かかる支持対象物を高さ調整可能に支持する機能を備えた脚装置の改良に関する。
【背景技術】
【０００２】
下端に接地部を備えたボルト状の脚と、この脚のネジに噛み合うロックピースを内蔵した取り付け用ケースとを組み合わせてなる機器用調整脚がある。（特許文献１参照）
【０００３】
しかるに、かかる調整脚にあっては、機器の高さの微調整にあたっては脚を回転させる必要があるため、この微調整のときに機器の設置位置に前後左右のズレを少なからず生じさせてしまうものであった。また、この調整脚にあっては、脚はケースを通り抜けるスタイルのものであるため、調整脚の全高は脚の全長に支配されており、この結果、ケース下面からの脚の突き出し量を小さくさせた場合の、ケース上面から突き出される脚の寸法分の収納スペースなどを機器側に必要とさせるものであった。
【特許文献１】特開２００３−３１１０９２号公報
【発明の開示】
【発明が解決しようとする課題】
【０００４】
この発明が解決しようとする主たる問題点は、この種の脚装置において、支持対象物の高さ調整のときに支持対象物の設置位置などに前後左右のズレを生じさせることがなく、しかも、支持対象物側に脚装置のためだけに用いる空間などを特に設ける必要を生じさせることがないようにする点にある。
【課題を解決するための手段】
【０００５】
前記問題点を解決するために、この発明にあっては、脚装置を以下の（１）〜（５）の構成を備えたものとした。
（１）ベース体と、回転操作体と、接地体とを備えており、
（２）ベース体には、支持対象物への取り付け部と、上下方向に延びる軸部と、第一ねじ部とが設けられており、
（３）接地体は、筒下端を接地部とすると共に、ベース体の軸部を筒内部に入れ込ませるようにしてこの軸部に沿って上下方向にのみ移動可能に組み合わされた筒状をなし、かつ、外周部に第二ねじ部を備えており、
（４）回転操作体は、前記軸部を略回転中心とする回転操作可能に構成されていると共に、第一ねじ部に噛み合う第一噛み合い部と、第二ねじ部に噛み合う第二噛み合い部とを有しており、
（５）回転操作体の正転操作によりベース体は上方に、かつ、接地体は下方に移動されると共に、
回転操作体の逆転操作によりベース体は下方に、かつ、接地体は上方に移動されるようになっている。
【０００６】
かかる構成により、回転操作体を正転操作させることにより、支持対象物に取り付けられたベース体を上方に、かつ、テーブル面や机上面やフロア面などに接地部を接しさせた接地体を下方に移動させて、脚装置によって支持された支持対象物の箇所を上昇させることができ、また、回転操作体を逆転操作させることにより、支持対象物に取り付けられたベース体を下方に、かつ、テーブル面や机上面やフロア面などに接地部を接しさせた接地体を上方に移動させて、脚装置によって支持された支持対象物の箇所を下降させることができる。回転操作体の回転操作によって回転されるのはこの回転操作体のみであり、接地体は回転しないことから、支持対象物の高さ調整にあたり、支持対象物の設置位置などに前後左右のズレを生じさせることがない。また、接地体はベースの軸部を内側に入り込ませるようにして支持されており、接地体が下方に移動され切った場合の脚装置の全高（接地部からベース体の上面）に対して、上方に移動され切った場合の脚装置の全高を小さくさせることができ、接地体を入り込ませるための無用の空間などを支持対象物側あるいはその内部に必要としない特長を有する。
【０００７】
前記第一ねじ部に対し第二ねじ部が逆向きのねじとなるようにしておくことにより、回転操作体の正転操作によりベース体は上方に、かつ、接地体は下方に移動されると共に、回転操作体の逆転操作によりベース体は下方に、かつ、接地体は上方に移動されるようにできる。
【０００８】
前記ベース体が、筒内側に第一ねじ部を備えた筒状をなす主体部を備えるようにしておくこともある。
【０００９】
回転操作体を回転操作すると、第一ねじ部にこの回転操作体の第一噛み合い部を噛み合わせているベース体は上方又は下方に移動されるが、第一ねじ部はベース体、ひいては、脚装置の外側に露出されないことから、このようにした場合、脚装置の外観性を高めることができる。
【００１０】
前記回転操作体を、外周部に操作用把持部が形成された外筒部分と、内筒部分とを備えたものとし、
内筒部分の内側に接地体を通し、かつ、この内側に第二噛み合い部を形成させておくと共に、
内筒部分と外筒部分との間にベース体を入り込ませ、かつ、この内筒部分の外側に第一噛み合い部を形成させておくこともある。
【００１１】
このようにした場合、操作用把持部を利用して回転操作体を外部から容易に回転操作させることができると共に、この回転操作により、回転操作体内にベース体および接地体が入り込み、または、この回転操作により、回転操作体内からベース体および接地体が繰り出されるように、脚装置を動作させることができる。
【００１２】
前記接地体の接地部を、ゴム又は軟質のプラスチック材料によって構成させておくこともある。
【００１３】
このようにした場合、脚装置の接地部とテーブル面や机上面やフロア面などとの摩擦係数を高めて支持対象物を脚装置を介して安定的に支持させることができると共に、これらの面に脚措置の接地部が傷などを付けてしまわないようにすることができる。
【発明の効果】
【００１４】
この発明にかかる脚装置によれば、回転操作体を回転操作しても接地体は回転されることがなく、支持対象物の高さ調整のときに支持対象物の設置位置などに前後左右のズレを生じさせることがない。また、接地体はベース体の軸部を内部に入れ込ませてこの軸部に支持されており、上方に移動されればされるほど脚装置の全高は小さくなるので、支持対象物側に脚装置用の格別の空間などを特に必要としない特長を有する。
【発明を実施するための最良の形態】
【００１５】
以下、図１ないし図１２に基づいて、この発明を実施するための最良の形態について説明する。
【００１６】
なお、ここで図１は、支持対象物Ｐの一部と脚装置Ｌを分離させた状態として、また、図２および図３は、脚装置Ｌの使用状態をそれぞれ表しており、図２は脚装置Ｌの全高が最も大きくなった様子を、また、図３は脚装置Ｌの全高が最も小さくなった様子を示している。図４は、脚装置Ｌを上方から視て示している。
【００１７】
また、図５および図６は、ベース体１の主要部分を、図７は、回転操作体２を構成するダイヤル体２２とロックナット体２３とを一緒に表しており、また、図８はロックナット体２３を、図９は、ダイヤル体２２を、それぞれ上方から視て示している。また、図１０は、ベース体１を構成する軸部１１と、接地体３とを一緒に表しており、また、図１１は、接地体３を下方から視て、また、図１２は、軸部１１を上方から視て、それぞれ示している。
【００１８】
この実施の形態にかかる脚装置Ｌは、各種の支持対象物Ｐに取り付けられてこの支持対象物Ｐの脚となると共に、かかる支持対象物Ｐを高さ調整（レベル調整）可能に支持する機能（アジャスター機能）を備えたものである。
【００１９】
具体的には、かかる脚装置Ｌは、例えば、いわゆる液晶プロジェクター、映写機、スライド映写機などの投影機の脚として、あるいはまた、三脚などの脚の下端部に取り付けられてこの脚の一部をなすものとして、用いることができる。この脚装置Ｌがかかる投影機に用いられる場合には、この投影機の投影レンズが設けられた前部側の下部に設けられてこの投影機の傾斜角を調整するように用いられ、これにより、この投影レンズから投影される映像がスクリーンなどに映し出される高さ位置を調整するように用いられる。
【００２０】
かかる脚装置Ｌは、ベース体１と、回転操作体２と、接地体３とを備えている。
【００２１】
（ベース体１）
ベース体１には、支持対象物Ｐへの取り付け部１０と、上下方向に延びる軸部１１と、第一ねじ部１２とが設けられている。
【００２２】
図示の例では、かかるベース体１は、筒下端を開放させた円筒状をなす主体部１３を有している。この主体部１３の筒上端は、この筒上端を塞ぐ大きさの幅広部と、この幅広部に連続して主体部１３の側方に張り出す幅狭部とを備えた上板部１４の下面に一体に接合されている。この上板部１４の幅狭部の末端にはネジ１６の通し穴１４ａが形成されており、また、幅広部におけるこの末端に対向する位置には上方に向けて立ち上がった後、屈曲して側方に突き出すように形成された舌片１４ｂが形成されている。また、上板部１４の幅広部の中央には上方に向けて突き出すと共に、内部を主体部１３に連通させた、この主体部１３よりも小径の円筒状部１５が形成されている。そして、図示の例にあっては、かかる円筒状部１５の入れ込まれる貫通孔Ｐｂと、この貫通孔Ｐｂを挟んだ一方側に設けられたネジ穴Ｐｃと、この貫通孔Ｐｂを挟んだ他方側に設けられた方形穴Ｐｄとを備えた支持対象物Ｐの底板Ｐａの一部に対し、方形穴Ｐｄに舌片１４ｂを入れ込みながら貫通孔Ｐｂに円筒状部１５を下方から入れ込むと共に、通し穴１４ａを通じてネジ穴Ｐｃにネジ１６を下方からネジ付けることにより、かかる支持対象物Ｐの底板Ｐａにベース体１、ひいては脚装置Ｌの上部を取り付けるようにしてある。すなわち、図示の例にあっては、かかるベース体１の上板部１４が支持対象物Ｐへの取り付け部１０として機能するようになっている。
【００２３】
また、図示の例では、前記軸部１１は、円柱の棒状をなすように構成されている。かかる軸部１１は、軸上端にねじ穴１１ａを有すると共に、このねじ穴１１ａの入り口の両側に放射方向に延びるリブ１１ｂを有している。そして、図示の例では、前記円筒状部１５の天部１５ａの略中央部に形成された中央をネジの入れ込まれる広径部とした長穴１５ｂに、かかるリブ１１ｂを入れ込ませると共に、この長穴１５ｂの広径部を通じて前記ねじ穴１１ａに上方からネジ１１ｃをネジ付けることにより、この円筒状部１５の天部１５ａの下面に軸部１１の軸上端を固定させるようにしている。このように固定された軸部１１は、円筒状部１５および主体部１３の筒軸線上にその軸線を位置させるように配されている。また、かかる軸部１１の周面部には、軸部１１の軸上端において溝上端を上方に開放させると共に、軸部１１の軸下端との間にやや間隔を残した位置に溝下端１１ｅを位置させるように、この軸部１１の軸線に沿って形成された回り止め溝１１ｄが、この軸部１１の周方向において隣り合う回り止め溝１１ｄとの間に略等しい間隔開けて四カ所に設けられている。そして、図示の例では、円筒状をなす接地体３の筒上端の内側に形成された後述する突片３２をこの回り止め溝１１ｄに入れ込ませた状態で、この接地体３の内側に軸部１１が入れ込まれ、これにより、接地体３は、かかる軸部１１に沿って上下方向にのみ移動可能となるようにベース体１に組み合わされている。
【００２４】
また、図示の例では、ベース体１の主体部１３の筒内側に第一ねじ部１２が形成されている。すなわち、図示の例では、第一ねじ部１２はベース体１の主体部１３の内周面に、この主体部１３の筒軸線を巡るように形成された雌ねじとして形成されている。
【００２５】
後述するように、回転操作体２を回転操作すると、第一ねじ部１２にこの回転操作体２の第一噛み合い部２３ｃを噛み合わせているベース体１は上方又は下方に移動されるが、第一ねじ部１２はベース体１、ひいては、脚装置Ｌの外側に露出されないことから、このようにした場合、脚装置Ｌの外観性を高めることができる。
【００２６】
（接地体３）
接地体３は、筒下端を接地部３０とすると共に、ベース体１の軸部１１を筒内部に入れ込ませるようにしてこの軸部１１に沿って上下方向にのみ移動可能に組み合わされた筒状をなし、かつ、外周部に第二ねじ部３１を備えている。
【００２７】
図示の例では、かかる接地体３は、円筒状をなすように構成されている。その筒上端の内側には、隣り合う突片３２との間に略等しい間隔を開けて四カ所の突片３２が形成されている。図示の例にあっては、この接地体３の内径とベース体１の軸部１１の外径とが略等しくなっており、接地体３の筒下端より軸部１１の軸上端を先にしてこの接地体３内に、前記のようにベース体１の円筒状部１５に固定する前に、軸部１１の回り止め溝１１ｄに対応する突片３２を入れ込ませるようにして、入れ込ませた後、この軸部１１を前記のように固定させることにより、ベース体１に対し上下方向にのみ移動可能な状態で（つまり、軸部１１を中心に接地体３が回転しないようにした状態で）接地体３を組み合わせている。図示の例では、接地体３は、その筒上端をベース体１の円筒状部１５の天部１５ａの下面に突き当てさせる位置と、軸部１１の回り止め溝１１ｄの溝下端１１ｅに突片３２を突き当てさせる位置との間で、その上下動を許容されるようになっている。
【００２８】
接地体３は、第二ねじ部３１によって、ボルト状の外観を呈している。すなわち、図示の例にあっては、第二ねじ部３１は雄ねじとして構成されている。
【００２９】
また、図示の例では、かかる接地体３の接地部３０が、ゴム又は軟質のプラスチック材料によって構成されている。
【００３０】
具体的には、図示の例にあっては、接地体３の開放された筒下端を、この接地体３とベース体１の軸部１１とを前記のように組み合わせた後に、円盤状をなすゴム又は軟質のプラスチック材料よりなる板体３３によって塞ぐように、この筒下端にかかる板体３３を接着などにより止着させており、この板体３３の下面が支持対象物Ｐの下方に位置されるテーブル面や机上面やフロア面などに接するようになっている。
【００３１】
これにより、この実施の形態にあっては、脚装置Ｌの接地部３０とテーブル面や机上面やフロア面などとの摩擦係数を高めて支持対象物Ｐを脚装置Ｌを介して安定的に支持させることができると共に、これらの面に脚措置の接地部３０が傷などを付けてしまわないようにすることができる。回転操作体２の回転操作によって接地体３は回転しないので、接地部３０をゴム又は軟質のプラスチック材料によって構成させておいても、脚装置の機能に何らの支障も生じさせない。
【００３２】
（回転操作体２）
回転操作体２は、前記軸部１１を略回転中心とする回転操作可能に構成されていると共に、第一ねじ部１２に噛み合う第一噛み合い部２３ｃと、第二ねじ部３１に噛み合う第二噛み合い部２３ｆとを有しており、
回転操作体２の正転操作によりベース体１は上方に、かつ、接地体３は下方に移動されると共に、
回転操作体２の逆転操作によりベース体１は下方に、かつ、接地体３は上方に移動されるようになっている。
【００３３】
図示の例にあっては、かかる回転操作体２は、外周部に操作用把持部２０ａが形成された外筒部分２０と、内筒部分２１とを備えている。
【００３４】
内筒部分２１の内側に接地体３が通り、かつ、この内側に第二噛み合い部２３ｆが形成されていると共に、
内筒部分２１と外筒部分２０との間にベース体１が入り込み、かつ、この内筒部分２１の外側に第一噛み合い部２３ｃが形成されている。
【００３５】
これにより、この実施の形態にあっては、操作用把持部２０ａを利用して回転操作体２を外部から容易に回転操作させることができると共に、この回転操作により、回転操作体２内にベース体１および接地体３が入り込み、または、この回転操作により、回転操作体２内からベース体１および接地体３が繰り出されるように、脚装置Ｌを動作させることができる。
【００３６】
かかる入り込みによって、脚装置Ｌの全高は小さくなり、支持対象物Ｐにおける脚装置Ｌによって支えられていた箇所は下降される。また、かかる繰り出しによって、脚装置Ｌの全高は大きくなり、支持対象物Ｐにおける脚装置Ｌによって支えられていた箇所は上昇される。
【００３７】
図示の例では、回転操作体２は、操作用把持部２０ａを備えた外筒部分２０と、内筒部分２１の一部とを有したダイヤル体２２と、
このダイヤル体２２に組み合わされてこのダイヤル体２２の一部と一緒に内筒部分２１を完成させるロックナット体２３とを備えている。
【００３８】
かかるダイヤル体２２の外筒部分２０は円筒状をなすと共に、ベース体１の主体部１３の外径と略等しい内径を有している。一方、内筒部分２１も略円筒状をなすと共に、ベース体１の主体部１３の内径と略等しい外径を有している。図示の例では、かかる外筒部分２０と内筒部分２１との間に上方からベース体１の主体部１３がその筒下端側より入り込んだ状態で、ベース体１と回転操作体２とが組み合わされている。また、内筒部分２１の内径は接地体３の外径と略等しくなっている。
【００３９】
図示の例では、かかるダイヤル体２２の外筒部分２０の外側にさらに、短寸の筒体２４がその筒上端と外筒部分２０の外周面との間に亘る連接フランジ２４ａを介して備え付けられている。この筒体２４の外周面にはこの筒体２４の周方向において隣り合う縦溝２４ｂとの間に略等しい間隔を開けるようにして複数の縦溝２４ｂ、２４ｂ…が形成されており、これによりこの筒体２４をつまみ、あるいは、つかみ易いようにしてある。すなわち、図示の例では、かかる筒体２４が前記操作用把持部２０ａとして機能するようになっている。
【００４０】
また、ダイヤル体２２の内筒部分２１の一部となる箇所２２ａは、筒両端を共に開放させた円筒状をなすように構成されている。この箇所２２ａは、外筒部分２０の筒下端とこの箇所２２ａの筒下端との間に亘る周回連接板２２ｂによってこの外筒部分２０の略中央部に支持されている。すなわち、図示の例では、外筒部分２０と内筒部分２１との間に、上方において開放された円状の周回溝が作られている。また、かかる箇所２２ａは太径基部２２ｃとこれよりも細径の上部２２ｄとからなり、上方に向いた段差面２２ｅを有すると共に、この上部２２ｄの外面部であってその直径方向両側位置には、この上部２２ｄの上端から段差面２２ｅまで続く凹所２２ｆが形成されている。また、この上部２２ｄの上端側であって、一対のこの凹所２２ｆ、２２ｆの間となる位置にはそれぞれ、掛合爪２２ｇが形成されている。また、一対の凹所２２ｆ、２２ｆの一方の下方には、太径基部２２ｃの側部の一部を割り欠くように形成されると共に、段差面２２ｅ位置において上方に抜け、かつ、周回連接板２２ｂ位置において下方に抜けた欠設部２２ｈが形成されている。
【００４１】
一方、ロックナット体２３は、
円形のリング部２３ａと、
このリング部２３ａのリング上端であってその直径方向両側位置にそれぞれ上方に向けて突き出すように形成された上部突出部２３ｂと、
このリング部２３ａのリング下端であって、一対の上部突出部２３ｂ、２３ｂの一方の直下位置において下方に向けて突き出すように形成された下部突出部２３ｅとを備えている。
【００４２】
そして、図示の例にあっては、上部突出部２３ｂおよび下部突出部２３ｅはいずれも、その内外側面を、リング部２３ａの円弧に沿った弧状をなすように湾曲させていると共に、上部突出部２３ｂの外側面に第一噛み合い部２３ｃが、下部突出部２３ｅの内側面に第二噛み合い部２３ｆがそれぞれ形成されている。図示の例では、第一噛み合い部２３ｃは、前記第一ねじ部１２に噛み合う雄ねじの一部を上部突出部２３ｂの外側面に形成させるようにして構成されており、また、第二噛み合い部２３ｆは、前記第二ねじ部３１に噛み合う雌ねじの一部を下部突出部２３ｅの内側面に形成させるようにして構成されている。
【００４３】
かかるロックナット体２３のリング部２３ａの内径はダイヤル体２２における前記箇所２２ａの上部の外径と略等しく、また、このリング部２３ａの上下寸法はダイヤル体２２のこの箇所２２ａにおける掛合爪２２ｇと段差面２２ｅとの間の寸法と略等しくなっている。また、前記上部突出部２３ｂの内側にはそれぞれ、ダイヤル体２２の前記箇所２２ａの上部に形成させた凹所２２ｆにはまり込む形を持った凸所２３ｄが形成されている。また、前記下部突出部２３ｅは前記欠設部２２ｈに納まる形を持つように構成されている。
【００４４】
そして、図示の例では、ダイヤル体２２の凹所２２ｆにロックナット体２３の凸所２３ｄが上方から納まるように、ダイヤル体２２の前記段差面２２ｅにロックナット体２３のリング部２３ａのリング下端が突き当てられる位置までこのリング部２３ａの内側にダイヤル体２２の前記箇所２２ａの上部２２ｄを入れ込ませることにより、両者が一体的に組み合わされるようになっている。この組み合わせに伴って主としてリング部２３ａ側の弾性変形により掛合爪２２ｇの下端下にリング部２３ａが入り込み掛合爪２２ｇと段差面２２ｅとの間にリング部２３ａは安定的に保持されるようになっている。また、この組み合わせにより、前記下部突出部２３ｅは前記欠設部２２ｈを埋めるように入り込み、内筒部分２１が完成されると共に、下部突出部２３ｅの第二噛み合い部２３ｆは内筒部分２１内に位置されるようになっている。この組み合わせにより構成された回転操作体２の内筒部分２１内に下方より、前記固定をなす前の軸部１１と組み合わせた接地体３を、その第二ねじ部３１を第二噛み合い部２３ｆにねじ付けながら入れ込んだ後、今度は、回転操作体２の外筒部分２０の内側に上方からベース体１の主体部１３を、その第一ねじ部１２を第一噛み合い部２３ｃにねじ付けながら入れ込み、この後前記固定をなすことにより脚装置Ｌのアッセンブリーがなされる。
【００４５】
（機能）
この実施の形態にかかる脚装置Ｌにあっては、回転操作体２を正転操作させることにより、支持対象物Ｐに取り付けられたベース体１を上方に、かつ、テーブル面や机上面やフロア面などに接地部３０を接しさせた接地体３を下方に移動させて、脚装置Ｌによって支持された支持対象物Ｐの箇所２２ａを上昇させることができ、また、回転操作体２を逆転操作させることにより、支持対象物Ｐに取り付けられたベース体１を下方に、かつ、テーブル面や机上面やフロア面などに接地部３０を接しさせた接地体３を上方に移動させて、脚装置Ｌによって支持された支持対象物Ｐの箇所２２ａを下降させることができる。回転操作体２の回転操作によって回転されるのはこの回転操作体２のみであり、接地体３は回転しないことから、支持対象物Ｐの高さ調整にあたり、支持対象物Ｐの設置位置などに前後左右のズレを生じさせることがない。また、接地体３はベースの軸部１１を内側に入り込ませるようにして支持されており、接地体３が下方に移動され切った場合の脚装置Ｌの全高（接地部３０からベース体１の上面）に対して、上方に移動され切った場合の脚装置Ｌの全高を小さくさせることができ、接地体３を入り込ませるための無用の空間などを支持対象物Ｐ側あるいはその内部に必要としない特長を有する。
【００４６】
図示の例では、前記第一ねじ部１２に対し第二ねじ部３１が逆向きのねじとなるようにしてある。これにより、回転操作体２の正転操作によりベース体１は上方に、かつ、接地体３は下方に移動されると共に、回転操作体２の逆転操作によりベース体１は下方に、かつ、接地体３は上方に移動されるようになっている。
【図面の簡単な説明】
【００４７】
【図１】脚装置Ｌの斜視図
【図２】同使用状態を示した要部破断側面図
【図３】同使用状態を示した要部破断側面図
【図４】脚装置Ｌの平面図
【図５】ベース体１を構成する主体部１３および上板部１４の平面図
【図６】同要部破断側面図
【図７】回転操作体２を構成するダイヤル体２２とロックナット体２３の分離断面図
【図８】ロックナット体２３の平面図
【図９】ダイヤル体２２の平面図
【図１０】接地体３と軸部１１の分離側面図
【図１１】図１０におけるＡ−Ａ線矢視図
【図１２】図１０におけるＢ−Ｂ線矢視図
【符号の説明】
【００４８】
Ｌ  脚装置
１  ベース体
１０  取り付け部
１１  軸部
１２  第一ねじ部
２  回転操作体
２３ｃ  第一噛み合い部
２３ｆ  第二噛み合い部
３  接地体
３０  接地部
３１  第二ねじ部
【図１】
2006242322.tif 000003
【図２】
2006242322.tif 000004
【図３】
2006242322.tif 000005
【図４】
2006242322.tif 000006
【図５】
2006242322.tif 000007
【図６】
2006242322.tif 000008
【図７】
2006242322.tif 000009
【図８】
2006242322.tif 000010
【図９】
2006242322.tif 000011
【図１０】
2006242322.tif 000012
【図１１】
2006242322.tif 000013
【図１２】
2006242322.tif 000014